(57)【要約】【課題】  野球やソフトボールのバットスイング練習を行う為に使用する鏡であって、ストライクゾーンの各コーナー来たボールをイメージして該ボールを打つ際の身体の崩れがないように練習することが出来るバッティング練習用鏡の提供。【解決手段】  長身代の鏡１を枠体２に嵌め、転倒しないように脚３，３を備え、そして鏡面には縦長のストライクゾーンに相当する枠４を形成している。【選択図】    図１
2006051082.tif 000002
【特許請求の範囲】
【請求項１】
野球やソフトボールのバットスイング練習を行う為に使用する鏡において、鏡面に縦長のストライクゾーンに相当する枠を形成したことを特徴とする野球のバッティング練習用鏡。
【請求項２】
上記枠を鏡面に直接描いた請求項１記載の野球のバッティング練習用鏡。
【請求項３】
鏡が嵌る枠体の縦桟及び横桟に沿って移動するスライダーを取付け、対向する両スライダー間に細い糸を張設して枠を形成した請求項１記載のバッティング練習用鏡。
【請求項４】
ゴルフのスイングを練習する為に使用する鏡において、鏡面には縦線を形成したことを特徴とするゴルフ練習用鏡。
【請求項５】
上記縦線を鏡面に直接描いた請求項４記載のゴルフ練習用鏡。
【請求項６】
鏡が嵌る枠体の横桟に沿って移動するスライダーを取付け、対向する両スライダー間に細い糸を張設して縦線を形成した請求項４記載のゴルフ練習用鏡。
【発明の詳細な説明】
【技術分野】
【０００１】
本発明は野球やソフトボールのバッティングを練習する為の、及びゴルフの素振り練習をする為の鏡に関するものである。
【背景技術】
【０００２】
野球のバッティングを練習する為には、一般にバッティングマシンが用いられている。該バッティングマシンは飛球の速度を調整することが出来、又飛球の種類(ストレート、カーブ、シュート等)を色々変えることも可能である。特開２００３−３１０８１４号に係る「バッティングマシン」は、打撃時の振動を抑え、バットやボールの性能評価や守備練習に実用できる軽量、小型のバッティングマシンである。又、特開２００３−１１７０３８号に係る「バッティングティ」は、打撃のたびごとに人の手でボールを載せる手間を簡略化し、さらには打球速度の計測も可能にする。
【０００３】
しかし、バッティングの練習はバッティングマシンから、又は投手から投げられるボールを打ち返す場合に限らず、バットのスイングも重要となる。特開平１１−２６７２６２号に係る「バッティング練習機の映像表示装置」は、複数のテレビ受像機を繋ぎ合せて大画面とし、全体でバッティング練習用のピッチングフォームを表示する場合にテレビ受像機のつなぎ目が現れないように前面に板状の拡大レンズを設けている。
【０００４】
特開平１１−３０９２３１号に係る「野球バットの素振り練習装置」は、色々なレベルの野球愛好家にわたってストライクになる色々なコースの速球ボールに対して素早くバットが振れるようにゲーム感覚で反射神経と筋力が鍛錬できる。そこで、野球バットの素振り練習機は、脚台上において垂直に支持され、ストライクゾーンを含む正方形の正面板上に９個配列された野球ボールに相当する発光部の内１つを制御部によって瞬間的に点灯させる。練習者は、その点灯発光部に対して素早くバットを素振りする。発光部に組み込まれた光電センサーとホームベースユニット上のセンサーによって、そのバットのスイングスポットが点灯発光部に対してナイスバッティングをしたかを反射テープからの反射光を受光して判断する。制御部は、点灯する発光部のセンサーのみを有効にし、他を無効にしたり、またナイスバッティングを報知する。
【０００５】
この練習装置を使用するならば、色々な球種に対してバットの素振りを行うことが出来、バットの振れの正確さを練習することが出来る。しかし、この練習装置は構造的にも複雑であり、製造コストも高く成ってしまい、個人的に所有するには負担が大きい。一方、該練習装置ではあくまでもバットの振れの正確さを確認するだけであり、素振りを行う際の身体の動きに関しては何ら分からない。
【０００６】
単にバットの振れが正確であっても、身体が崩れたり、前のめりになったりしてバットをスイングしたのでは、仮にボールに当たっても打球が遅くてヒットにはならない。打球を速くし、ボールの飛距離を延ばすにはスイング時の身体の動きも重要な要素となる。
【特許文献１】特開２００３−３１０８１４号に係る「バッティングマシン」
【特許文献２】特開２００３−１１７０３８号に係る「バッティングティ」
【特許文献３】特開平１１−２６７２６２号に係る「バッティング練習機の映像表示装置」
【特許文献４】特開平１１−３０９２３１号に係る「野球バットの素振り練習装置」
【発明の開示】
【発明が解決しようとする課題】
【０００７】
このように、従来のバッティング等の練習装置には上記のごとき問題がある。本発明が解決しようとする課題はこれら問題点であり、非常に簡単な装置でコストも安く、しかもバットのスイングのみならず身体の動きも確認することが出来るバッティング練習用鏡を提供する。同じように、ゴルフの素振り練習を行うための鏡を提供する。
【課題を解決するための手段】
【０００８】
本発明に係るバッティング練習用鏡は約身長代の縦寸法を有す鏡を用い、該鏡面に長方形の枠が形成され、そして鏡は枠体に嵌って転倒しないように脚を備えている。床面に仮のベースを置いてバッターボックスに入るならば、鏡にはベースと共に身体が映し出され、この状態でスイングするならば、バットのスイング位置とその際の身体の動きが分かる。
【０００９】
上記長方形の枠はストライクゾーンの大きさとして設けられ、該ストライクゾーンのコーナーにあるボールを打つ際の身体の崩れを鏡に映し出して確認することが出来る。ここで、上記枠の形態は具体的に限定せず、鏡面に直接描く場合のみならず、細い紐を張設して取付けることも可能である。一方、ゴルフ練習用には縦線が形成され、ゴルフクラブを振上げた際の身体の姿勢が縦線と共に映し出される。
【発明の効果】
【００１０】
バッティングの素振りを練習する際に本発明の鏡を利用することが出来、該鏡面にはストライクゾーンに相当する縦長の長方形枠が形成されている為に、身体を崩すことなくスイングする練習が出来る。すなわち、ストライクゾーンのコーナーに来たボールを、身体を崩すことなく打つことが出来る練習を手軽に行い得る。
【００１１】
一方、ゴルフ練習の場合には、ゴルフクラブを振上げた際の姿勢が、基準となる縦線に対して如何なる位置にあるかを知ることが出来、スイング後の身体のズレを確認できる。すなわち、ゴルフ練習において最も基本となる姿勢を確かめた上でスイングを行うことが可能と成り、鏡に映るスイング動作も同時に確認することが出来、ゴルフ上達の為に効果的である。
【実施例】
【００１２】
図１はバッティング練習用の鏡を表し実施例であり、鏡１は枠体２に嵌って取付けられ、該枠体２の両側下端には脚３，３が前後方向へ水平に延びている。上記鏡１の大きさは長身代の縦寸法となる約１８０ｃｍ、横寸法は約９０ｃｍの大きさと成っている。そして鏡面のほぼ中央には縦長の長方形枠４が形成され、該長方形枠４は縦横３分割して、９個の小枠５ａ，５ｂ，５ｃ・・に細分化されている。
【００１３】
ところで、この鏡１の正面に立ってバッターボックスに入るならば、自分の姿を上記枠４の隣に映し出すことが出来、枠４がストライクゾーンと成る位置に立ってスイングを行う。そしてバットをスイングするならば、その姿も鏡に映される。今、ボールがインコース高めの小枠５ａにあるボールを打ち返す場合、スイングするバットは小枠５ａに映らなくてはならない。アウトコース低めの位置となる小枠５ｉにあるボールを打ち返す場合には、スイングするバットが小枠５ｉに映ることが必要である。
【００１４】
このように、ストライクゾーンの色々な位置にあるボールを頭でイメージすることで、バットをスイングすると共に、該バットがイメージした小枠５ａ，５ｂ・・に映るように練習することが可能である。そして、その際に、スイングするバットの位置だけでなく、身体の崩れを確認する。すなわち、ストライクゾーンのコーナーとなる、インコース低めの小枠５ｇ、アウトコース低めの小枠５ｉ、インコース高めの小枠５ａ、及びアウトコース高めの小枠５ｃにあるボールを打つ際には、一般的には身体の崩れを招くが、これを極力無くすスイングが出来るように練習を行う。
【００１５】
ところで、図１の鏡面に形成される枠４は消え難い細い線で描かれている。しかし、このストライクゾーンを表す枠４の大きさは各人によって多少異なる。そこで、鏡面に枠を描くのではなく、自分に身長に合わせた大きさの枠４を作るように構成することも出来る。例えば、枠体にレール又はガイド溝を沿設し、枠体の縦桟及び横桟に沿って移動するスライダーを取付け、対向する両スライダー間に細い糸を張設することで適当な位置に最適な大きさの枠４を作ることが可能と成る。
【００１６】
図２はゴルフクラブのスイング練習用鏡であり、鏡１は枠体２に嵌って取付けられ、該枠体２の両側下端には脚３，３が前後方向へ水平に延びている。鏡１の大きさは長身代の縦寸法となる約１８０ｃｍ、横寸法は約９０ｃｍの大きさと成っている。そして鏡面には３本の縦線８ａ，８ｂ，８ｃが形成され、上部には２本の横線９ａ，９ｂが形成されている。
【００１７】
このような縦線８ａ，８ｂ，８ｃ、及び横線９ａ，９ｂが形成された鏡の前でゴルフのスイング練習を行うことが出来る。すなわち、ゴルフクラブを振上げた際の姿勢を上記縦線８ａ，８ｂ，８ｃを基準として確認することが出来る。又、スイングした後の姿勢を確認することが出来、正しいスイングを習得できる。
【００１８】
そして、このゴルフ練習用鏡面に形成される縦線８ａ，８ｂ，８ｃ、及び横線９ａ，９ｂを細い糸に代えることもある。すなわち、枠体２の縦桟６及び横桟７に沿って移動するスライダーを取付け、対向する位置にある両スライダー間に細い糸を張設することが出来る。
【図面の簡単な説明】
【００１９】
【図１】バッティング練習用鏡を示す実施例。
【図２】ゴルフ練習用鏡を示す実施例。
【符号の説明】
【００２０】
１  鏡
２  枠体
３  脚
４  枠
５  小枠
６  縦桟
７  横桟
８  縦線
９  横線
【図１】
2006051082.tif 000003
【図２】
2006051082.tif 000004